(57)【要約】【課題】ユーザーが使用終了後のロック操作をスムーズに行うことができ、しかも、部品点数の増加を招くことがないロック機能を備える小型電気機器を提供する。【解決手段】電力を駆動源とする負荷１３と、負荷１３への電力の供給を制御する電源スイッチ２６とを備えている。電源スイッチ２６を所定の方法で操作するロック操作が行われると、電源スイッチ２６のオン操作が無効となるロックモードに移行する。ロックモードにおいて、電源スイッチ２６を所定の方法で操作するアンロック操作が行われると、負荷１３が停止したままロックモードが解除されることを特徴とする。【選択図】図１０
2019141556.tif 000002
【特許請求の範囲】
【請求項１】
電力を駆動源とする負荷（１３）と、負荷（１３）への電力の供給を制御する電源スイッチ（２６）とを備えており、
電源スイッチ（２６）を所定の方法で操作するロック操作が行われると、電源スイッチ（２６）のオン操作が無効となるロックモードに移行し、
ロックモードにおいて、電源スイッチ（２６）を所定の方法で操作するアンロック操作が行われると、負荷（１３）が停止したままロックモードが解除されることを特徴とする小型電気機器。
【請求項２】
アンロック操作が完了したことを報知するアンロック報知手段（Ｍ３）を備える請求項１に記載の小型電気機器。
【請求項３】
アンロック操作が、所定の長押し時間（Ｔ１）にわたる電源スイッチ（２６）の押圧操作である請求項１または２に記載の小型電気機器。
【請求項４】
負荷（１３）が駆動する運転モードと負荷（１３）が停止する待機モードのうち一方または両方が、ロック操作が可能であるロック可能期間である請求項１から３のいずれかひとつに記載の小型電気機器。
【発明の詳細な説明】
【技術分野】
【０００１】
本発明は、ユーザーの意に反した電源スイッチのオン操作を無効とするロック機能を備えた小型電気機器に関する。
【背景技術】
【０００２】
この種のロック機能を備えた小型電気機器は、例えば本出願人が先に提案した特許文献１に開示されている。特許文献１に記載の電気かみそりの前面には、電源スイッチとしてのプッシュ式のスイッチノブが配置されており、その直ぐ上方に、スイッチノブの押し込みを阻止するためのスライド式のロック体が配置されている。ロック体の下部には係合突起が設けられており、これに対応する係合凹部がスイッチノブの上面に形成されている。ロック体を下方にスライドさせると、係合突起がスイッチノブの係合凹部に嵌まり、スイッチノブの内方への移動が阻止される。
【先行技術文献】
【特許文献】
【０００３】
【特許文献１】特開２００１−６２１６５号公報
【発明の概要】
【発明が解決しようとする課題】
【０００４】
特許文献１に記載の小型電気機器（電気かみそり）の使用を終えたユーザーが、これを停止させてスイッチノブをロックするには、次の手順を踏む必要がある。まず、指先でスイッチノブを押し込んで、小型電気機器を停止させる。次いで、スイッチノブの上方のロック体に指先を移動させて、ロック体を下方にスライドさせる。つまり、スイッチノブの操作、指先の移動、およびロック体の操作という３つの手順を踏む必要があり、ユーザーによってはこれを煩わしいと感じる。また、特許文献１の小型電気機器は、ロック機能を持たない小型電気機器と比較した場合に、ロック体の分だけ部品点数が多くなる不利もある。
【０００５】
本発明の目的は、ユーザーが使用終了後のロック操作をスムーズに行うことができ、しかも、部品点数の増加を招くことがないロック機能を備える小型電気機器を提供することにある。
【課題を解決するための手段】
【０００６】
本発明に係る小型電気機器は、電力を駆動源とする負荷１３と、負荷１３への電力の供給を制御する電源スイッチ２６とを備えている。電源スイッチ２６を所定の方法で操作するロック操作が行われると、電源スイッチ２６のオン操作が無効となるロックモードに移行する。ロックモードにおいて、電源スイッチ２６を所定の方法で操作するアンロック操作が行われると、負荷１３が停止したままロックモードが解除されることを特徴とする。
【０００７】
アンロック操作が完了したことを報知するアンロック報知手段Ｍ３を備える。
【０００８】
アンロック操作が、所定の長押し時間Ｔ１にわたる電源スイッチ２６の押圧操作である。
【０００９】
負荷１３が駆動する運転モードと負荷１３が停止する待機モードのうち一方または両方が、ロック操作が可能であるロック可能期間である。
【発明の効果】
【００１０】
本発明に係る小型電気機器では、ユーザーが電源スイッチ２６を所定の方法で操作（ロック操作）すると、電源スイッチ２６のオン操作が無効となるロックモードに移行するように構成した。そのため、小型電気機器の使用を終えたユーザーは、電源スイッチ２６のオフ操作とロック操作の２つの操作を続けて行うだけで、負荷１３を停止させて小型電気機器をロックモードに移行させることができる。従来の小型電気機器では、電源スイッチとロック体が別体であったため、オフ操作とロック操作の間で指先の移動が必要であったが、本発明によれば、指先の移動の手間を省くことができるので、ユーザーはオフ操作からロック操作までをスムーズに行える。また、電源スイッチ２６を用いてロック操作を行う本発明によれば、ロック機能を持たない小型電気機器と比較しても、部品点数の増加を招くことがなく、これによりコストの削減に寄与することができる。
【００１１】
本発明は、上記課題に加えて、アンロック操作時にユーザーの意に反して負荷１３が駆動するという課題を解決するために成されたものである。ユーザーがアンロック操作の直後に必ず小型電気機器を使用するとは限らず、ロックモードの解除のみを目的としてアンロック操作が行われることもある。このような場合に負荷１３を駆動させると、無駄に電力を消費してしまう。そこで本発明では、アンロック操作が行われた場合に、負荷１３が停止したままロックモードが解除されるようにした。これにより、アンロック操作時の負荷１３の無駄な電力消費を避けることができる。また本発明では、電源スイッチ２６を用いてアンロック操作を行うようにした。従って、アンロック操作の直後に小型電気機器を使用したいユーザーは、電源スイッチ２６のアンロック操作とオン操作の２つの操作を続けて行うだけで、負荷１３を起動させてその使用を開始することができる。
【００１２】
アンロック操作が完了したことを報知するアンロック報知手段Ｍ３によれば、ロックモードが適正に解除されたことをユーザーに容易に認識させることができる。
【００１３】
アンロック操作が長押し時間Ｔ１にわたる電源スイッチ２６の押圧操作、すなわち長押し操作であると、ユーザーが意識して電源スイッチ２６を長押し操作しない限りは、ロックモードが解除されることが無くなるため、ユーザーの意に反したロックモードの解除を確実に防止することができる。
【００１４】
負荷１３が駆動する運転モードと負荷１３が停止する待機モードのうち一方または両方が、ロック操作が可能であるロック可能期間であると、少なくとも運転モード中はいつでも、または、待機モード中はいつでもロック操作を可能として、小型電気機器の使い勝手を向上させることができる。特に、両モードがロック可能期間である場合は、ロックモードへの移行をいつでも可能として、小型電気機器の使い勝手をさらに向上させることができる。
【図面の簡単な説明】
【００１５】
【図１】本発明の実施例１に係る電気かみそり（小型電気機器）の正面図である。
【図２】電気かみそりの各種の表示部を示す正面図である。
【図３】電気かみそりの制御系のブロック図である。
【図４】電気かみそりのモード間の遷移図である。
【図５】運転モードと待機モードにおける各部の動作を説明するためのタイミングチャートである。
【図６】ロック操作が適正に行われた場合のタイミングチャートである。
【図７】ロック操作が適正に行われた場合の別のタイミングチャートである。
【図８】ロック操作が不適正に行われた場合のタイミングチャートである。
【図９】ロック操作が不適正に行われた場合の別のタイミングチャートである。
【図１０】アンロック操作が適正に行われた場合のタイミングチャートである。
【図１１】本発明の実施例２に係る電気かみそり（小型電気機器）のロック操作を説明するためのタイミングチャートである。
【図１２】本発明の実施例３に係る電気かみそり（小型電気機器）のアンロック操作を説明するためのタイミングチャートである。
【図１３】本発明の実施例４に係る電気かみそり（小型電気機器）のロックモードにおける各部の動作を説明するためのタイミングチャートである。
【図１４】本発明の実施例５に係る電気かみそり（小型電気機器）のロックモードにおける各部の動作を説明するためのタイミングチャートである。
【図１５】本発明の実施例６に係る電気かみそり（小型電気機器）の各報知手段の動作を説明するためのタイミングチャートである。
【図１６】本発明の実施例７に係る電気かみそり（小型電気機器）の各種の表示部を示す正面図である。
【発明を実施するための形態】
【００１６】
（実施例１）  図１ないし図１０に、本発明をロータリー式の電気かみそりに適用した実施例１を示す。図１において電気かみそりは、グリップを兼ねる  縦長の本体ケース１と、本体ケース１の上部で支持されるかみそりヘッド２とを備える。かみそりヘッド２の上部にはメイン刃３が配置されており、その前後にはトリマーユニット４がそれぞれ配置されている。メイン刃３は、水平軸まわりに回転する内刃５と、内刃５に外接する網目状の外刃６とで構成されており、各トリマーユニット４は、ともに櫛歯からなる固定刃７と可動刃８で構成されている。
【００１７】
メイン刃３の下方には、複数個の励起光源１１を実装した光源基板１２が配置されている。各励起光源１１は青色ＬＥＤからなり、電気かみそりの使用中や使用後に光を照射して、内刃５や外刃６にコーティングした光触媒を励起させて、有機物の分解を促す。これにより、有機物の腐敗に伴う異臭の発生を抑制することができる。かみそりヘッド２の下部には、減速機付きのモーター（負荷）１３が、内刃５と平行な姿勢で収容されている。モーター１３は、メイン刃３の内刃５に向けて回転動力を出力し、また各トリマーユニット４の可動刃８に向けて往復動力を出力する。つまり、本実施例に係る電気かみそりは、モーター１３を動力源として駆動する内刃５と、内刃５の周囲に摺接し、内刃５と協働してひげを切断する外刃６とを備える。
【００１８】
モーター１３の駆動源である二次電池（電池）１５は、縦長の制御基板１６とともに、本体ケース１の内部に収容されている。本体ケース１の前面には、プッシュ式のスイッチボタン１９と、二次電池１５の残量を表示する残量表示部２０と、電気かみそりが後述するロックモードであることなどを表示するロック表示部２１と、二次電池１５が充電中であることを表示する充電表示部２２とが、上から下へ記載順に配置されている。本体ケース１の下端部に設けられたソケット２５に給電プラグを接続すると、二次電池１５を充電することができる。スイッチボタン１９の内面は、制御基板１６の前面に設けられた電源スイッチ２６に正対しており、ユーザーはスイッチボタン１９を介して電源スイッチ２６を操作することができる。電源スイッチ２６は、スイッチボタン１９から押圧力を受ける間に限って、開状態から閉状態に切り換わる。
【００１９】
図２に示すように残量表示部２０は、左右一対の７セグメント表示部３０からなり、二次電池１５の残量（％）を２桁の数字で表示する（１０％単位）。ただし、残量が１００％（ＦＵＬＬ）のときは「ＦＵ」と表示する。各７セグメント表示部３０は、「８」の形に並べられた７個の透光部３１と光源３２で構成されており、ロック表示部２１と充電表示部２２も、透光部３３・３５と光源３４・３６の組み合わせで構成されている。ロック表示部２１の透光部３３は南京錠を模したものであり、充電表示部２２の透光部３５は差込プラグを模したものである。各表示部２０・２１・２２を構成する光源３２・３４・３６は、それぞれＬＥＤからなり、かみそりヘッド２の励起光源１１やモーター１３とともに、制御基板１６に実装された制御部４０（図３参照）により制御される。
【００２０】
図４に示すように電気かみそりは、モーター１３が駆動する運転モードと、モーター１３が停止する待機モードと、モーター１３が停止し且つオン操作が無効となるロックモードの間で切り換わるように構成されている。詳しくは、運転モードで電源スイッチ２６がオフ操作されると待機モードに移行し、待機モードで電源スイッチ２６がロック操作されるとロックモードに移行する。また、ロックモードで電源スイッチ２６がアンロック操作されると待機モードに移行し、待機モードで電源スイッチ２６がオン操作されると運転モードに移行する。本実施例においては、運転モードから待機モードを経ずにロックモードに移行することはなく、ロックモードから待機モードを経ずに運転モードに移行することもない。
【００２１】
電源スイッチ２６のオン操作およびオフ操作とは、スイッチボタン１９を介した電源スイッチ２６の押圧操作（押圧時間の長短は問わない）であり、ロック操作およびアンロック操作とは、長押し時間Ｔ１（本実施例では３秒間）にわたる電源スイッチ２６の押圧操作、すなわち長押し操作である。待機モードにおいてロック操作が可能な期間（ロック可能期間）は、運転モードから待機モードに移行した直後の受付時間Ｔ２（本実施例では５秒間）に限定されている。そのため、ロック可能期間を除く待機モードにおいて、ユーザーが電源スイッチ２６を長押し操作しても、電気かみそりがロックモードに移行することは無い。
【００２２】
図５のタイミングチャートは、運転モードと待機モードにおける各部の駆動状態の変化を示したものである。待機モードにおいて電源スイッチ２６が押圧操作されると（時点ｔ１）、制御部４０はこれをオン操作とみなして、電気かみそりを運転モードに移行させる。具体的には、モーター１３を起動させるとともに、励起光源１１と残量表示部２０を点灯させる。髭剃りを終えたユーザーが電源スイッチ２６を押圧操作すると（時点ｔ２）、制御部４０はこれをオフ操作とみなして、電気かみそりを待機モードに移行させる。具体的には、励起光源１１と残量表示部２０の点灯状態を維持したまま、モーター１３を停止させる。同時に、制御部４０が備えるタイマー４１（図３参照）による計時を開始し、僅かに遅れてロック表示部２１の点滅を開始させて、ロック操作が可能なロック可能期間に入ったことをユーザーに報知する（ロック表示部２１は期間報知手段Ｍ１として機能する）。
【００２３】
次の時点ｔ３では、ユーザーによるロック操作が行われることなく、時点ｔ２から受付時間Ｔ２が経過している。この場合の制御部４０は、タイマー４１による計時を終了し、同時にロック表示部２１と残量表示部２０を消灯させる。残量表示部２０も、受付時間Ｔ２にわたって点灯状態を維持することにより、ロック表示部２１とともに期間報知手段Ｍ１として機能する。励起光源１１は、その点灯中に電源スイッチ２６が押圧操作されるか（時点ｔ４）、または、待機モードに移行した時点ｔ２から所定時間（本実施例では２０分）が経過するまで、点灯状態に維持される。また制御部４０は、励起光源１１を消灯させた直後の所定時間（本実施例では３秒間）にわたって、残量表示部２０を点灯させる残光表示を行う。この残光表示は、二次電池１５の残量の表示であってもよく、その他の表示であってもよい。
【００２４】
図６のタイミングチャートは、ロック可能期間内にロック操作が行われた場合を示したものである。時点ｔ１１から時点ｔ１２までは、図５の時点ｔ１から時点ｔ２までと同じであるが、次の時点ｔ１３では、ユーザーによる電源スイッチ２６の長押し操作が開始されている。時点ｔ１３は、時点ｔ１２から受付時間Ｔ２が経過する前、すなわちロック可能期間内である。電源スイッチ２６の閉状態が維持されたまま、時点ｔ１３から長押し時間Ｔ１が経過すると（時点ｔ１４）、制御部４０はロック表示部２１を点滅から常時点灯に切り換え、さらに残量表示部２０を消灯させて、適正にロック操作が行われたことをユーザーに報知する（ロック表示部２１と残量表示部２０はロック報知手段Ｍ２として機能する）。次の時点ｔ１５以降の制御は、図５の時点ｔ４以降とほぼ同じであるが、残光表示の終了と同時にロック表示部２１を消灯させる点が異なる（時点ｔ１６）。
【００２５】
図７のタイミングチャートは、ロック可能期間が終了する直前に、ユーザーが電源スイッチ２６の長押し操作を始めた場合を示したものである。時系列としては、まず電源スイッチ２６がオフ操作されて待機モードに移行し（時点ｔ２１）、次いで電源スイッチ２６の長押し操作が開始され（時点ｔ２２）、次いで時点ｔ２１から受付時間Ｔ２が経過し（時点ｔ２３）、次いで時点ｔ２２から長押し時間Ｔ１が経過している（時点ｔ２４）。このように、長押し時間Ｔ１に達した時点（時点ｔ２４）が受付時間Ｔ２の経過後であっても、長押し操作の開始時点（時点ｔ２２）がロック可能期間内であれば、制御部４０はこれを適正なロック操作とみなして、図６の時点ｔ１４と同じ制御を行う。なお本実施例では、受付時間Ｔ２が経過した時点ｔ２３以降も、長押し操作中は残量表示部２０の点灯状態とロック表示部２１の点滅状態を継続させるようにしたが、これに代えて両表示部２０・２１を消灯させてもよい。
【００２６】
図８および図９のタイミングチャートは、ロック操作が適正に行われなかった場合を示したものである。図８では、時点ｔ３１から始まった電源スイッチ２６の長押し操作が、長押し時間Ｔ１に達する前に終了している（ｔ３２−ｔ３１＜Ｔ１）。ロック可能期間の終了後の時点ｔ３３では、ロック操作に失敗したことに気付いたユーザーが、再び長押し操作を開始しているが、制御部４０はこれをロック操作とみなさず、図５の時点ｔ４と同じ制御を行う。図９では、運転モード中の時点ｔ４１から長押し操作が開始されており、その継続時間は長押し時間Ｔ１を超えているが、制御部４０はこれをロック操作とみなさず、時点ｔ４１に図５の時点ｔ２と同じ制御を行うのみである。つまり、待機モード中かつロック可能期間内に開始された長押し時間Ｔ１以上の長押し操作のみが、制御部４０によってロック操作と認識される。
【００２７】
図１０のタイミングチャートは、ロックモードから待機モードを経て運転モードに移行するまでの各部の駆動状態の変化を示したものである。先に図６で説明したように、待機モードからロックモードに移行した直後は、ロックモードであることを示すロック表示部２１が点灯するが（時点ｔ１４）、励起光源１１の消灯後まもなくロック表示部２１も消灯する（時点ｔ１５〜ｔ１６）。この消灯後に電源スイッチ２６が押圧操作（オン操作）された場合は、図１０の時点ｔ５１に示すように、制御部４０はロック表示部２１を所定時間にわたって点灯させて、ロックモードであることをユーザーに報知する。もちろん、この押圧操作により、電気かみそりが運転モードや待機モードに移行することは無い。
【００２８】
次の時点ｔ５２では、電源スイッチ２６の長押し操作が開始されている。電源スイッチ２６の閉状態が維持されたまま、時点ｔ５２から長押し時間Ｔ１が経過すると（時点ｔ５３）、制御部４０はロック表示部２１を消灯させ、さらに残量表示部２０を点灯させることにより、適正にアンロック操作が行われたことをユーザーに報知する（ロック表示部２１と残量表示部２０はアンロック報知手段Ｍ３として機能する）。なお、アンロック操作が完了しただけではモーター１３は起動しない。ユーザーがアンロック操作の直後に必ず電気かみそりを使用するとは限らず、ロックモードの解除のみを目的としてアンロック操作が行われることもある。このような場合にモーター１３を駆動させると、無駄に電力を消費するからである。
【００２９】
時点ｔ５３から所定時間が経過すると、制御部４０は残量表示部２０を消灯させる。ここでの残量表示部２０の表示内容は、二次電池１５の残量の表示であってもよく、その他の表示であってもよい。二次電池１５の残量の表示であれば、ユーザーが電気かみそりの使用を開始する前に、その残量をユーザーに知らせることができ、残量が不足している場合に充電等の事前の備えを促すことができる。アンロック操作後の待機モードにおいて、電源スイッチ２６が押圧操作されると（時点ｔ５４）、制御部４０はこれをオン操作とみなして、電気かみそりを運転モードに移行させる。この点は、図５の時点ｔ１と同じである。
【００３０】
以上のように、本実施例に係る電気かみそりでは、ユーザーが電源スイッチ２６をロック操作（長押し操作）すると、電源スイッチ２６のオン操作が無効となるロックモードに移行するように構成した。そのため、電気かみそりの使用を終えたユーザーは、電源スイッチ２６のオフ操作とロック操作の２つの操作を続けて行うだけで、モーター１３を停止させて電気かみそりをロックモードに移行させることができる。従来のようにオフ操作とロック操作の間で指先を移動させる必要はなく、ユーザーはオフ操作からロック操作までをスムーズに行える。また本実施例では、アンロック操作をロック操作と同じ電源スイッチ２６の長押し操作とした。そのため、アンロック操作の直後に電気かみそりを使用したいユーザーは、電源スイッチ２６のアンロック操作とオン操作の２つの操作を続けて行うだけで、モーター１３を起動させてその使用を開始することができる。従来のようにアンロック操作とオン操作の間で指先を移動させる必要はなく、ユーザーはアンロック操作からオン操作までをスムーズに行える。
【００３１】
なお本実施例では、ロック可能期間内にロック表示部２１を点滅させ、ロックモードになると同表示部２１を常時点灯させたが、これとは逆にロック可能期間内にロック表示部２１を常時点灯させ、ロックモード中に同表示部２１を点滅させてもよい。あるいは、ロック可能期間内にロック表示部２１を長い間隔で点滅させ、ロックモード中に同表示部２１を短い間隔で点滅させてもよい。もちろん、間隔の長短を逆にすることもできる。ロックモード中に電源スイッチ２６が押圧操作（オン操作）された場合についても同様のことが言える。つまり、ロック表示部２１を所定時間にわたって点灯させるのに代えて、これを点滅させてもよい。ロックが解除されるとロック表示部２１を消灯させる点は同じである。
【００３２】
（実施例２）  図１１に示す本発明の実施例２は、運転モードにおいてもロック操作を可能とした点が、先の実施例１と異なる。このタイミングチャートでは、運転モード中の時点ｔ６１から長押し操作すなわちロック操作が開始されており、その継続時間が長押し時間Ｔ１に達すると（時点ｔ６２）、制御部４０はロック表示部２１を点滅から常時点灯に切り換え、さらに残量表示部２０を消灯させて、適正にロック操作が行われたことをユーザーに報知する。モーター１３は長押し操作の開始と同時に停止する。本実施例では、運転モードと待機モードの全体がロック可能期間であり、ユーザーはいつでもロック操作を行える。他は実施例１と同じであるので、その説明を省略する。以下の実施例においても同じとする。本実施例の変形例として、長押し操作を開始した時点ｔ６１ではモーター１３を停止させず、長押し操作の継続時間が長押し時間Ｔ１に達した時点ｔ６２にモーター１３を停止させてもよく、これを時点ｔ６１と時点ｔ６２の間で停止させてもよい。また、運転モードと待機モードの全体をロック可能期間とするのに代えて、一方のモードの全体のみをロック可能期間とすることもできる。
【００３３】
（実施例３）  図１２に示す本発明の実施例３は、アンロック操作の完了と同時にモーター１３を起動させる点が、先の実施例１と異なる。このタイミングチャートでは、ロックモード中の時点ｔ７１から長押し操作すなわちアンロック操作が開始されており、その継続時間が長押し時間Ｔ１に達すると（時点ｔ７２）、制御部４０はロック表示部２１を消灯させるとともに、電気かみそりを運転モードに移行させる。具体的には、モーター１３を起動させるとともに、励起光源１１と残量表示部２０を点灯させる。本実施例によれば、アンロック操作の直後に電気かみそりを使用したいユーザーにとっては、アンロック操作後のオン操作の手間を省略することができる。
【００３４】
（実施例４）  図１３に示す本発明の実施例４は、ロックモードにおいて残量表示部２０を点灯させる点が、先の実施例１と異なる。制御部４０は、ロックモードにおいて電源スイッチ２６が押圧操作（オン操作）された場合に、ロック表示部２１を点灯させることにより、ロックモードであることをユーザーに報知する（時点ｔ８１）。ここまでは図１０の時点ｔ５１と同じであるが、本実施例では、ロック表示部２１に遅れて残量表示部２０を点灯させることにより、二次電池１５の残量をユーザーに知らせる（時点ｔ８２）。これによりユーザーは、ロックモードを解除しなくても二次電池１５の残量を知ることが可能になり、利便性が向上する。残量表示部２０は所定の点灯時間Ｔ３が経過すると消灯し（時点ｔ８３）、ロック表示部２１も所定の点灯時間Ｔ４が経過すると消灯する（時点ｔ８４）。両表示部２０・２１の点灯時間Ｔ３・Ｔ４は長押し時間Ｔ１よりも十分に短い。本実施例ではＴ３＜Ｔ４の関係としたが、これに代えてＴ３＝Ｔ４またはＴ３＞Ｔ４の関係として、ロック表示部２１を先に消灯させてもよい。両表示部２０・２１を同時に消灯させることもできる。
【００３５】
次の時点ｔ８５では、電源スイッチ２６の長押し操作が開始されて、ロック表示部２１が再び点灯している。残量表示部２０は、電源スイッチ２６が長押し操作される場合も、ロック表示部２１に遅れて点灯し（時点ｔ８６）、点灯時間Ｔ３が経過すると消灯する（時点ｔ８７）。つまり残量表示部２０は、電源スイッチ２６の押圧操作が長押しと短押し（シングルクリック）のどちらであっても同じように制御される。一方、ロック表示部２１に関しては、点灯時間Ｔ４の経過後の時点ｔ８８まで点灯し続ける点は、短押し操作の場合と同じであるが、長押し時間Ｔ１が経過する（アンロック操作が完了する）時点ｔ８９まで点滅状態となる点は、短押し操作の場合と異なる。つまり制御部４０は、ロック表示部２１の点灯時間Ｔ４が経過した時点で、電源スイッチ２６が開状態であればロック表示部２１を消灯させるが、点灯時間Ｔ４にわたって電源スイッチ２６が閉状態に維持された場合、つまりユーザーが電源スイッチ２６を長押し操作した場合は、ロック表示部２１を常時点灯状態から点滅状態に切り換えて、アンロック操作が進行中であることをユーザーに報知する。なお、ロック表示部２１の点滅状態において、長押し時間Ｔ１が経過する前に電源スイッチ２６が開状態に切り換わった場合は、制御部４０はその時点でロック表示部２１を消灯させる。
【００３６】
時点ｔ８５から長押し時間Ｔ１が経過した時点ｔ８９において、制御部４０はロック表示部２１を消灯させ、さらに残量表示部２０を点灯時間Ｔ３にわたって点灯させる。これにより、適正にアンロック操作が行われたことをユーザーに報知するとともに、二次電池１５の残量をユーザーに再認識させることができる。
【００３７】
本実施例では、時点ｔ８１と時点ｔ８５でロック表示部２１を点灯させたが、これに代えて同表示部２１を点滅させてもよい。この場合は、点灯時間Ｔ４の経過後の時点ｔ８８において、ロック表示部２１の点滅間隔を変更（延長または短縮）するか、あるいは、同表示部２１を点滅状態から常時点灯状態に切り換えることにより、アンロック操作が進行中であることをユーザーに報知することができる。この変形例と本実施例に係る小型電気機器（電気かみそり）は、以下の形態で実施することができる。以下の形態は、ロックモード中も電池１５の残量をユーザーに認識させるという課題を解決し得るものである。
【００３８】
電池１５の電力を駆動源とする負荷１３と、負荷１３への電力の供給を制御する電源スイッチ２６と、電池１５の残量を表示する残量表示部２０とを備えており、
電源スイッチ２６を所定の方法で操作するロック操作が行われると、電源スイッチ２６のオン操作が無効となるロックモードに移行し、
ロックモードにおいて、電源スイッチ２６を所定の方法で操作するアンロック操作が行われると、ロックモードが解除されるように構成されており、
ロックモードにおいて電源スイッチ２６が操作された場合に、ロックモードであることを報知するロック報知手段Ｍ２に加えて、残量表示部２０を駆動させることを特徴とする小型電気機器。
【００３９】
従来の小型電気機器では、電源スイッチとロック体が別体であったため、オフ操作とロック操作の間、および、アンロック操作とオン操作の間で指先の移動が必要であったが、本構成によれば、指先の移動の手間を省くことができるので、ユーザーはオフ操作からロック操作まで、および、アンロック操作からオン操作までをスムーズに行える。また、ロックモードにおいて電源スイッチ２６が操作された場合にロック報知手段Ｍ２を駆動させると、ロックモードであることをユーザーに容易に認識させることができる。電源スイッチ２６の操作が負荷１３の起動を意図したものであった場合は、ロック報知手段Ｍ２を駆動させることにより、アンロック操作が必要であることをユーザーに知らせることができる。さらに、ロック報知手段Ｍ２に加えて残量表示部２０を駆動させると、ロックモードであること（アンロック操作が必要であること）に加えて、電池１５の残量をユーザーに知らせることができる。ユーザーは、ロックモードを解除しなくても電池１５の残量を知ることが可能になり、利便性が向上する。
【００４０】
ロックモードにおいて電源スイッチ２６が操作された場合に、残量表示部２０よりも先にロック報知手段Ｍ２を駆動させる上記の小型電気機器。
【００４１】
ロックモードにおいてユーザーが電源スイッチ２６をオン操作しても、負荷１３は駆動しない。この場合にユーザーにまず知らせるべきは、小型電気機器がロックモード中であること、換言すれば、負荷１３が駆動しないのは故障が原因ではないことである。ロック報知手段Ｍ２を優先して駆動させると、小型電気機器が故障していないことをユーザーに速やかに知らせて、安心感を与えることができる。
【００４２】
ロックモードにおいて電源スイッチ２６が操作された場合に、残量表示部２０よりも後にロック報知手段Ｍ２を停止させる上記の小型電気機器。
【００４３】
上記のように、ロック報知手段Ｍ２が駆動しているとユーザーに認識させることは重要である。本構成のように残量表示部２０よりも後にロック報知手段Ｍ２を停止させると、ユーザーがロック報知手段Ｍ２を見落とすおそれを少なくして、小型電気機器がロックモード中であるという情報をユーザーへより的確に知らせることができる。
【００４４】
ロックモードが解除された時点から所定の駆動時間にわたって残量表示部２０を駆動させる上記の小型電気機器。
【００４５】
ロックモードが解除された時点から残量表示部２０を駆動させると、ユーザーが小型電気機器の使用を開始する前に、電池１５の残量をユーザーに知らせて、残量が不足している場合に充電等の事前の備えを促すことができる。
【００４６】
ロックモードを解除するためのアンロック操作が、所定の長押し時間Ｔ１にわたる電源スイッチ２６の押圧操作であり、
ロック報知手段Ｍ２は光源３４を含み、
アンロック操作が開始されてから、長押し時間Ｔ１より短い点灯時間Ｔ４が経過するまでの間と、点灯時間Ｔ４が経過してから長押し時間Ｔ１が経過するまでの間とで、光源３４の点灯状態を異ならせ、
長押し時間Ｔ１が経過してアンロック操作が完了すると、光源３４を消灯させる上記の小型電気機器。
【００４７】
ロックモードを解除するためのアンロック操作が、長押し時間Ｔ１にわたる電源スイッチ２６の押圧操作、すなわち長押し操作であると、ユーザーが意識して電源スイッチ２６を長押し操作しない限りは、ロックモードが解除されることが無くなるため、ユーザーの意に反したロックモードの解除を確実に防止することができる。また、ロック報知手段Ｍ２が光源３４を含むものであると、ロック状態であることをユーザーに容易に認識させることができる。さらに、アンロック操作（長押し操作）の途中で、光源３４の点灯状態を異ならせると、アンロック操作が的確に行われていることをユーザーに認識させて、安心感を与えることができる。
【００４８】
ロックモードを解除するためのアンロック操作が、所定の長押し時間Ｔ１にわたる電源スイッチ２６の押圧操作であり、
ロック報知手段Ｍ２は光源３４を含み、
アンロック操作が開始されてから、長押し時間Ｔ１より短い点灯時間Ｔ４が経過するまでは、光源３４を常時点灯させ、
点灯時間Ｔ４が経過してから長押し時間Ｔ１が経過するまでは、光源３４を点滅させ、
長押し時間Ｔ１が経過してアンロック操作が完了すると、光源３４を消灯させる上記の小型電気機器。
【００４９】
ロックモードを解除するためのアンロック操作が、長押し時間Ｔ１にわたる電源スイッチ２６の押圧操作、すなわち長押し操作であると、ユーザーが意識して電源スイッチ２６を長押し操作しない限りは、ロックモードが解除されることが無くなるため、ユーザーの意に反したロックモードの解除を確実に防止することができる。また、ロック報知手段Ｍ２が光源３４を含むものであると、ロック状態であることをユーザーに容易に認識させることができる。さらに、アンロック操作（長押し操作）の途中で、光源３４を常時点灯から点滅に切り換えると、アンロック操作が的確に行われていることをユーザーに認識させて、安心感を与えることができる。
【００５０】
本実施例や先の実施例１では、モーター１３を専ら内刃５（メイン刃３）と可動刃８（トリマーユニット４）の駆動源として利用したが、これをロック報知手段Ｍ２やアンロック報知手段Ｍ３としても利用することができる。モーター１３を一時的に駆動させると、モーター１３自身や各刃３・４、あるいはその間の伝動機構で音や振動が発生する。この音や振動を利用して、適正にロック操作やアンロック操作が行われたことをユーザーに報知することができる。ロック報知手段Ｍ２としてのモーター１３を駆動させるタイミングは、例えば図６の時点ｔ１４（想像線を参照）や図７の時点ｔ２４（同）であり、アンロック報知手段Ｍ３としてのモーター１３を駆動させるタイミングは、例えば図１０の時点ｔ５３（同）や図１３の時点ｔ８９（同）である。
【００５１】
上記の小型電気機器（電気かみそり）は、以下の形態で実施することができる。なお、負荷（モーター１３）をロック報知手段Ｍ２として機能させるためには、ロック操作の完了前に既に負荷１３が停止している必要がある。あくまでロック操作の完了時点が基準であるため、実施例１のように負荷１３を停止させてからロック操作を開始する必要がある小型電気機器だけでなく、実施例２の変形例のようにロック操作の途中で負荷１３が停止する小型電気機器にも、以下の形態を適用することができる。以下の形態における負荷１３には、電気かみそり用のモーターに加え、携行用の照明器具用の光源などが含まれる。
【００５２】
（第一形態）
電池１５の電力を駆動源とする負荷１３と、負荷１３への電力の供給を制御する電源スイッチ２６とを備えており、
電源スイッチ２６を所定の方法で操作するロック操作が行われると、電源スイッチ２６のオン操作が無効となるロックモードに移行し、
ロックモードにおいて、電源スイッチ２６を所定の方法で操作するアンロック操作が行われると、ロックモードが解除されるように構成されており、
ロック操作の完了にあわせて負荷１３を一時的に駆動させることを特徴とする小型電気機器。
【００５３】
従来の小型電気機器では、電源スイッチとロック体が別体であったため、オフ操作とロック操作の間、および、アンロック操作とオン操作の間で指先の移動が必要であったが、本構成によれば、指先の移動の手間を省くことができるので、ユーザーはオフ操作からロック操作まで、および、アンロック操作からオン操作までをスムーズに行える。また、ロック操作の完了にあわせて、ロック報知手段Ｍ２としての負荷１３を駆動させると、当該操作が完了して小型電気機器が適正にロックされたことを、ユーザーに確実に認識させることができる。
【００５４】
（第二形態）
電池１５の電力を駆動源とする負荷１３と、負荷１３への電力の供給を制御する電源スイッチ２６とを備えており、
電源スイッチ２６を所定の方法で操作するロック操作が行われると、電源スイッチ２６のオン操作が無効となるロックモードに移行し、
ロックモードにおいて、電源スイッチ２６を所定の方法で操作するアンロック操作が行われると、ロックモードが解除されるように構成されており、
アンロック操作の完了にあわせて負荷１３を一時的に駆動させることを特徴とする小型電気機器。
【００５５】
従来の小型電気機器では、電源スイッチとロック体が別体であったため、オフ操作とロック操作の間、および、アンロック操作とオン操作の間で指先の移動が必要であったが、本構成によれば、指先の移動の手間を省くことができるので、ユーザーはオフ操作からロック操作まで、および、アンロック操作からオン操作までをスムーズに行える。また、アンロック操作の完了にあわせて、アンロック報知手段Ｍ３としての負荷１３を駆動させると、当該操作が完了して小型電気機器が適正にロック解除されたことをユーザーに確実に認識させることができる。
【００５６】
（第三形態）
電池１５の電力を駆動源とするモーター１３と、モーター１３を動力源として駆動する内刃５と、内刃５に摺接し内刃５と協働してひげを切断する外刃６と、モーター１３への電力の供給を制御する電源スイッチ２６とを備える電気かみそりであって、
電源スイッチ２６を所定の方法で操作するロック操作が行われると、電源スイッチ２６のオン操作が無効となるロックモードに移行し、
ロックモードにおいて、電源スイッチ２６を所定の方法で操作するアンロック操作が行われると、ロックモードが解除されるように構成されており、
ロック操作の完了にあわせてモーター１３を一時的に駆動させることを特徴とする小型電気機器。
【００５７】
従来の電気かみそりでは、電源スイッチとロック体が別体であったため、オフ操作とロック操作の間、および、アンロック操作とオン操作の間で指先の移動が必要であったが、本構成によれば、指先の移動の手間を省くことができるので、ユーザーはオフ操作からロック操作まで、および、アンロック操作からオン操作までをスムーズに行える。また、ロック操作の完了にあわせて、ロック報知手段Ｍ２としてのモーター１３を駆動させると、当該操作が完了して電気かみそりが適正にロックされたことを、ユーザーに確実に認識させることができる。特に電気かみそりの場合、内刃５が駆動することにより大きな振動が発生するため、ロック操作の完了をユーザーに対してより確実に報知できる。
【００５８】
（第四形態）
電池１５の電力を駆動源とするモーター１３と、モーター１３を動力源として駆動する内刃５と、内刃５に摺接し内刃５と協働してひげを切断する外刃６と、モーター１３への電力の供給を制御する電源スイッチ２６とを備える電気かみそりであって、
電源スイッチ２６を所定の方法で操作するロック操作が行われると、電源スイッチ２６のオン操作が無効となるロックモードに移行し、
ロックモードにおいて、電源スイッチ２６を所定の方法で操作するアンロック操作が行われると、ロックモードが解除されるように構成されており、
アンロック操作の完了にあわせてモーター１３を一時的に駆動させることを特徴とする電気かみそり。
【００５９】
従来の電気かみそりでは、電源スイッチとロック体が別体であったため、オフ操作とロック操作の間、および、アンロック操作とオン操作の間で指先の移動が必要であったが、本構成によれば、指先の移動の手間を省くことができるので、ユーザーはオフ操作からロック操作まで、および、アンロック操作からオン操作までをスムーズに行える。また、アンロック操作の完了にあわせて、アンロック報知手段Ｍ３としてのモーター１３を駆動させると、当該操作が完了して電気かみそりが適正にロック解除されたことをユーザーに確実に認識させることができる。特に電気かみそりの場合、内刃５が駆動することにより大きな振動が発生するため、アンロック操作の完了をユーザーに対してより確実に報知できる。
【００６０】
上記の第一形態および第三形態において、ロック操作の完了と負荷（モーター）１３の駆動は同時である必要はなく、両者の間に僅かにタイムラグが存在してもよい。同様に、上記の第二形態および第四形態において、アンロック操作の完了と負荷（モーター）１３の駆動は同時である必要はなく、両者の間に僅かにタイムラグが存在してもよい。小型電気機器に係る第一形態と第二形態は組み合わせることができ、電気かみそりに係る第三形態と第四形態も組み合わせることができる。さらには、第一から第四の各形態と、特許請求の範囲に記載の形態とを組み合わせることも可能である。
【００６１】
（実施例５）  図１４に示す本発明の実施例５は、ロックモードにおいて電源スイッチ２６が押圧操作された場合に残量表示部２０だけを点灯させる点が、先の実施例４と異なる。制御部４０は、電源スイッチ２６が押圧操作（オン操作）されると、所定時間にわたって残量表示部２０を点灯させて、ロックモードであることをユーザーに報知する（時点ｔ９１）。このときロック表示部２１は消灯状態に維持される。本実施例のように残量表示部２０を点灯させるだけでも、二次電池１５の残量はもちろんのこと、ロックモード中であることもユーザーに知らせることができる。
【００６２】
次の時点ｔ９２では、電源スイッチ２６の長押し操作が開始されて、時点ｔ９１と同様に残量表示部２０が点灯している。電源スイッチ２６の閉状態が維持されたまま、長押し時間Ｔ１よりも短い所定時間が経過すると、制御部４０はロック表示部２１の点滅を開始させて、アンロック操作が進行中であることをユーザーに報知する。そして、時点ｔ９２から長押し時間Ｔ１が経過すると（時点ｔ９３）、制御部４０は残量表示部２０とロック表示部２１を消灯させて、アンロック操作が完了したことをユーザーに報知する。
【００６３】
本実施例の変形例として、電源スイッチ２６が押圧操作された時点ｔ９１と時点ｔ９２において、残量表示部２０と同時にロック表示部２１を点灯させてもよい。または、ロック表示部２１の点滅の開始と同時に、残量表示部２０を消灯させてもよい。あるいは、長押し時間Ｔ１が経過した時点ｔ９３において、残量表示部２０を二次電池１５の残量の表示から別の表示に切り換えて、アンロック操作の完了をユーザーに知らせてもよい。この場合は残量表示部２０を、ユーザーが電源スイッチ２６の長押し操作を終了した時点（スイッチボタン１９から指を離した時点）、あるいは時点ｔ９３の所定時間後に消灯させるとよい。
【００６４】
（実施例６）  図１５に示す本発明の実施例６は、期間報知手段Ｍ１とロック報知手段Ｍ２とアンロック報知手段Ｍ３をそれぞれ異なる光源、例えばＬＥＤで構成する点が、先の実施例１と異なる。期間報知手段Ｍ１は、電源スイッチ２６のオフ操作と同時に点灯し（時点ｔ１０１）、受付時間Ｔ２の経過またはロック操作の完了と同時に消灯する（時点ｔ１０３）。もちろん、期間報知手段Ｍ１を常時点灯させるのに代えて点滅させてもよい。ロック報知手段Ｍ２は、電源スイッチ２６のロック操作（長押し操作）の開始と同時に点滅を開始し（時点ｔ１０２）、ロック操作の完了と同時に常時点灯状態になり（時点ｔ１０３）、所定時間後に消灯する。またロック報知手段Ｍ２は、電源スイッチ２６のアンロック操作（長押し操作）の開始と同時に再点灯し（時点ｔ１０４）、アンロック操作の完了と同時に消灯する（時点ｔ１０５）。アンロック報知手段Ｍ３は、アンロック操作の開始と同時に点滅を開始し（時点ｔ１０４）、アンロック操作の完了と同時に常時点灯状態になり（時点ｔ１０５）、所定時間後に消灯する。本実施例では、残量表示部２０を各報知手段Ｍ１〜Ｍ３としては活用せず、運転モードにおいてのみ点灯させるようにした。
【００６５】
（実施例７）  図１６に示す本発明の実施例７は、実施例１の各表示部２０〜２２の構成を変更したものである。そこでは、本体ケース１の前面のスイッチボタン１９の下方に、各表示部２０〜２２を構成する表示画面４５が設けられている。表示画面４５は長方形の液晶パネルからなり、その上部に残量表示部２０が配置され、その下部にロック表示部２１と充電表示部２２が配置されている。残量表示部２０は、左から右へ漸次高くなる１０本のバーからなり、二次電池１５の残量を１０〜１００％の１０段階で表示する。
【００６６】
表示画面４５を用いる本実施例によれば、表示画面４５の全体から各表示部２０〜２２を除いた部分、すなわち背景部４６を、各報知手段Ｍ１〜Ｍ３として活用することができる。例えば、ロック可能期間において、ロック表示部２１と背景部４６を交互に点滅させると、背景部４６をロック表示部２１とともに期間報知手段Ｍ１として機能させることができる。また、ロック操作が行われてロックモードへ移行した際に、背景部４６を短時間だけ発光させると、これをロック報知手段Ｍ２として機能させることができる。ロックモードにおいて電源スイッチ２６が押圧操作された場合（図１０の時点ｔ５１）や、アンロック操作の間（図１０の時点ｔ５２〜ｔ５３）などにも背景部４６を発光させて、これをロック報知手段Ｍ２として機能させてもよい。さらに、アンロック操作の完了と同時に、残量表示部２０とともに背景部４６を発光させると、これをアンロック報知手段Ｍ３として機能させることができる。なお本発明では、ＬＥＤなどの光源３４を取り囲むように表示画面４５を配置することもでき、この場合は例えば、光源３４を本実施例のロック表示部２１と同様に制御し、表示画面４５を本実施例の背景部４６と同様に制御することができる。
【００６７】
その他、残量表示部２０は、本実施例のバー表示や実施例１の７セグメント表示に限られず、例えば、上下や左右に並ぶ複数個のＬＥＤで残量表示部２０を構成し、二次電池１５の残量に応じて、点灯するＬＥＤの個数を変更することができる。あるいは、「ＨＩＧＨ」「ＭＩＤ」「ＬＯＷ」「ＥＭＰＴＹ」などに対応する複数個のＬＥＤで残量表示部２０を構成し、二次電池１５の残量に対応するＬＥＤだけを点灯させることができる。１個の多色発光型のＬＥＤで残量表示部２０を構成し、二次電池１５の残量に応じて発光色を変化させてもよい。
【００６８】
期間報知手段Ｍ１、ロック報知手段Ｍ２およびアンロック報知手段Ｍ３は、ユーザーの視覚に訴える以外に、聴覚に訴えるブザーや合成音声であってもよく、バイブレータによる振動刺激であってもよい。これらのうち２つ以上を併用することもできる。ロック操作とアンロック操作は長押し操作に限られず、例えば電源スイッチ２６のシングルクリック操作やダブルクリック操作などであってもよい。
【００６９】
本発明の適用対象はロータリー式の電気かみそりに限られず、往復駆動式のメイン刃を備える電気かみそりにも本発明を適用することができる。この種の電気かみそりでは、モーターの回転動力を振動子で往復動力に変換して、メイン刃の内刃を往復動させるので、ロータリー方式に比べてより振動が発生する。そのため、モーターをロック報知手段Ｍ２やアンロック報知手段Ｍ３として利用する場合に、その報知機能をより高めることができる。さらに本発明は、例えばバイブレータを負荷１３とするマッサージ器や、負荷１３としてのモーターで回転駆動されるもみ玉を備えるマッサージ器、あるいは、光源を負荷１３とする携行用の照明器具などに適用することができる。
【符号の説明】
【００７０】
１  本体ケース
２  かみそりヘッド
１１  励起光源
１３  負荷（モーター）
１５  電池（二次電池）
１６  制御基板
１９  スイッチボタン
２０  残量表示部
２１  ロック表示部
２２  充電表示部
２６  電源スイッチ
Ｔ１  長押し時間
Ｔ２  受付時間
Ｍ１  期間報知手段
Ｍ２  ロック報知手段
Ｍ３  アンロック報知手段
【図１】
2019141556.tif 000003
【図２】
2019141556.tif 000004
【図３】
2019141556.tif 000005
【図４】
2019141556.tif 000006
【図５】
2019141556.tif 000007
【図６】
2019141556.tif 000008
【図７】
2019141556.tif 000009
【図８】
2019141556.tif 000010
【図９】
2019141556.tif 000011
【図１０】
2019141556.tif 000012
【図１１】
2019141556.tif 000013
【図１２】
2019141556.tif 000014
【図１３】
2019141556.tif 000015
【図１４】
2019141556.tif 000016
【図１５】
2019141556.tif 000017
【図１６】
2019141556.tif 000018